【事件の表示】
　平成　９年特許願第　７７０７９号「カラオケ装置」拒絶査定に対する審判事件［平成１０年１０月　９日出願公開、特開平１０−２６８８８７］について、次のとおり審決する。
【結　論】
　本件審判の請求は、成り立たない。
【理　由】
１．手続の経緯、本願発明
　本願は、平成９年３月２８日の出願であって、その特許請求の範囲の請求項１ないし２に係る各発明は、平成１３年６月４日付けの手続補正書により補正された明細書及び図面の記載からみて、その特許請求の範囲の請求項１ないし２に記載された「カラオケ装置」にあるところ、その請求項１に係る発明（以下「本願発明」という。）は次のとおりのものである。
「【請求項１】カラオケ曲の演奏を実行する演奏手段と、
　前記カラオケ曲に対応した動画背景映像を圧縮して記憶した動画記憶手段と、
　該動画記憶手段に記憶されている圧縮された動画背景映像を伸長して再生する動画再生手段と、
　即座に表示することができる
複数種類に分類された
のなかから、演奏されるカラオケ曲に対応した映像
　前記カラオケ曲の演奏をスタート
したとき、
、
の
と
　を備えたことを特徴とするカラオケ装置。」
　
２．引用例
　これに対して、原査定の拒絶の理由に引用された特開平８−２８６６８３号公報（以下「引用例１」という。）には、「カラオケ装置」（発明の名称）に関し、図面と共に次の（ａ）ないし（ｅ）のとおりの記載がある。
（ａ）「【産業上の利用分野】本発明は、所望の曲の演奏データにより電子音源を駆動し、歌詞表示の背景画像として静止画及び動画を供給するカラオケ装置に関するものである。」（公報第２頁第２欄第２行〜５行）
（ｂ）「ここで、曲データベース１０２についての詳細な説明を行う。曲データベース１０２は読み出し専用のメモリで、例えば光ディスクで構成され、曲データベース１０２に記憶されている多数の曲データは、例えば音楽情報として次のものが記録されている。音楽の曲番号、楽器の音色を表す音源パラメータ、楽譜の音高や音長を中心とする演奏データである。また、画像情報として、曲データのヘッダに予め音楽の雰囲気や季節等のコードを書き込んであり、曲の番号、曲の題名、歌詞等のデータが記録されている。」（公報第２頁第２欄第２３行〜３２行）
（ｃ）「以上のように構成された従来のカラオケ装置の動作を説明する。リクエスト部１０１で所望の曲番号を指定し制御部１０３に入力し、制御部１０３では曲データベース１０２の複数の曲データの中から、リクエスト部１０１で指定された曲番号の曲データを読み出し、文字表示部１０４と音源部１０５に読み出した曲データを出力し、動画抽出装置１０８に特定コードを出力する。動画抽出装置１０８は、制御部１０３から出力されたコードに従い同じ動画を持つ第１の動画再生装置１０６と第２の動画再生装置１０７とを交互に切り換え待ち時間なしで画像合成部１０９に動画を出力し、画像合成部１０９で動画抽出装置１０８から出力された動画と文字表示部１０４から出力された曲名や歌詞を合成して表示し、音源部１０５からは音響出力される。」（公報第２頁第２欄第３３行〜４６行）
（ｄ）「【発明が解決しようとする課題】しかしながら上記従来の構成では、動画切り換えの際に生じる待ち時間を短縮するために動画再生装置を２台持たなければならず、また曲データ再生用の装置も別途持たなければならず、大容量のスペースを必要とするという問題点を有していた。」（公報第３頁第３欄第３行〜８行）
（ｅ）「まず、第１の制御部５に所望の曲番号をリクエストすると第１の制御部５は情報読み取り手段２を介して第１のカラオケデータベース部１の指定された曲番号の曲データベースを読み出し、曲データは曲データ記憶手段３に、静止画データは静止画データ記憶手段４に一時的に格納するとともに曲データを音源部６に送出し静止画データを静止画表示部８に送出し、さらに読み出した曲データのヘッダに書き込んであるコードに従って情報読み取り手段２を介し第１のカラオケデータベース部１の動画データを読み出す。音源部６では送出された曲データに従って楽音再生され、静止画表示部８に送出された静止画データは背景画切り換え手段１０にそのまま出力される。背景画切り換え手段１０では、曲再生開始時には背景画として静止画表示部８の静止画出力を選択し、第１の制御部５からの背景画像切り換え信号が動画再生開始を示す場合は動画データ復調手段９の動画出力を背景画として選択する。文字表示部７では歌詞や曲に関する情報を表示し、画像合成部１１では背景画切り換え手段９で選択された背景画に文字表示部７で出力された歌詞や曲に関する情報をスーパーインポーズする。音源部６、文字表示部７、画像合成部１１は従来例と同じである。」（公報第４頁第５欄第２行〜２３行）
　同じく、引用された特開平８−１９５０２２号公報には、「ディスク再生装置、カラオケシステム及びディスク再生方法」（発明の名称）に関し、図面と共に次の（ｆ）ないし（ｇ）のとおりの記載がある。
（ｆ）「【従来の技術】従来からレーザーディスク、コンパクトディスクなどの各種ディスクに記録された映像や音声を再生するディスク再生装置が知られている。最近では、多数のディスクをラックに格納しておき、所望のディスクの再生を指示すれば、当該ディスクが自動的にラックからプレイヤに装填され再生されるものが普及している。このようなディスク再生装置は多数の映像付き伴奏曲を用いるカラオケシステムなどを中心に広く利用されている。」（公報第３頁第３欄第８行〜１６行）
（ｇ）「ここで、ディスク上の典型的な情報は、映像や音響を表すデジタルデータであり、その一例は圧縮されたＭＰＥＧ形式の動画データである。」（公報第６頁第９欄第２２行〜２４行）
　
３．対比
　本願発明と引用例１に記載された発明とを対比すると、次のことが認められる。
　引用例１に記載された発明の「曲」、「動画」は、それぞれ本願発明の「カラオケ曲」、「動画背景映像」に相当することは明らかである。
　引用例１には、曲再生開始時には背景画として静止画表示部８の静止画出力を選択し、第１の制御部５からの背景画像切り換え信号が動画再生開始を示す場合は動画データ復調手段９の動画出力を背景画として選択する（上記２．（ｅ）を参照）と記載されているから、引用例１に記載された発明の「静止画」は本願発明の「臨時映像」に相当する。
　引用例１には、音源部６では送出された曲データに従って楽音再生される（上記２．（ｅ）を参照）と記載されているから、引用例１に記載された発明も、本願発明の「カラオケ曲の演奏を実行する演奏手段」に相当する構成を有しているといえる。
　引用例１には、所望の曲番号をリクエストするとカラオケデータベース部１の指定された曲番号の曲データベースを読み出し、読み出した曲データのヘッダに書き込んであるコードに従って第１のカラオケデータベース部１の動画データを読み出す（上記２．（ｅ）を参照）と記載されている。当該記載から、第１のカラオケデータベース部１は曲に対応した動画データを記憶しているといえるから、引用例１に記載された発明も、本願発明の「前記カラオケ曲に対応した動画背景映像を記憶した動画記憶手段」を有しているといえる。
　引用例１には、第１のカラオケデータベース部１の動画データを読み出し、動画データ復調手段９の動画を出力する（上記２．（ｅ）を参照）と記載されているから、引用例１に記載された発明も、本願発明の「該動画記憶手段に記憶されている動画背景映像を再生する動画再生手段」に相当する構成を有しているといえる。
　引用例１には、第１のカラオケデータベース部１の指定された曲番号の曲データベースを読み出し、静止画データは静止画データ記憶手段４に一時的に格納し、静止画データを静止画表示部８に送出し、曲再生開始時には背景画として静止画表示部８の静止画出力を選択する（上記２．（ｅ）を参照）と記載されているから、引用例１に記載された発明も、本願発明の「即座に表示することができる、演奏されるカラオケ曲に対応した臨時映像を供給する臨時映像供給手段」に相当する構成を有しているといえる。
　引用例１には、背景画切り換え手段１０では、曲再生開始時には背景画として静止画表示部８の静止画出力を選択し、動画再生開始を示す場合は動画データ復調手段９の動画出力を背景画として選択すること（上記２．（ｅ）を参照）が記載されているので、引用例１に記載された発明も、本願発明の「前記カラオケ曲の演奏をスタートしたとき、前記臨時映像供給手段が供給する臨時映像をモニタに表示し、前記動画再生手段の再生準備が完了したとき、前記臨時映像に代えて前記動画再生手段が再生する動画背景映像をモニタに表示する切換手段」に相当する構成を有しているといえる。
　
　よって、本願発明と引用例１に記載された発明は、
「カラオケ曲の演奏を実行する演奏手段と、前記カラオケ曲に対応した動画背景映像を記憶した動画記憶手段と、該動画記憶手段に記憶されている動画背景映像を再生する動画再生手段と、即座に表示することができる臨時映像を供給する臨時映像供給手段と、前記カラオケ曲の演奏をスタートしたとき、前記臨時映像供給手段が供給する臨時映像をモニタに表示し、前記動画再生手段の再生準備が完了したとき、前記臨時映像に代えて前記動画再生手段が再生する動画背景映像をモニタに表示する切換手段と、を備えたことを特徴とするカラオケ装置。」
である点で一致し、以下の点で相違している。
相違点１
　動画記憶手段に記憶されている「動画背景映像」が、本願発明では「圧縮されている」のに対し、引用例１では、そのことが記載されていない点。
相違点２
　動画再生手段が本願発明では、「圧縮された」動画背景映像を「伸長して」再生するのに対し、引用例１では、そのことが記載されていない点。
相違点３
　臨時映像供給手段が、本願発明では、複数種類に分類された臨時映像のなかから、演奏されるカラオケ曲に対応した映像を供給するのに対し、引用例１では、曲データとともに設けられた静止画データ（臨時映像）を供給するものである点。
　
４．当審の判断
　上記相違点１について検討する。
　動画のデータ量は大きいので記憶手段に動画データを記憶する場合、記憶すべき動画のデータ量を減少させることを目的として、動画データを圧縮して記憶手段に記憶することは周知慣用手段であり、カラオケシステムの背景画として用いる動画においても圧縮して記憶させることは引用例２に記載されているように周知である。（上記２．（ｆ）、（ｇ）を参照）
　したがって、引用例１の発明において、動画データを記憶するに当たり、動画データを圧縮して記憶すること、即ち、本願発明のように動画背景映像を「圧縮して」記憶することは当業者が適宜なし得るものである。
　上記相違点２について検討する。
　上記相違点１で検討したように、本願発明が、動画背景映像を圧縮して記憶したことに伴い、動画再生手段ではそれに対応するため、圧縮された動画背景映像を「伸長して」再生することは当業者が当然考慮すべき設計的事項にすぎない。
　上記相違点３について検討する。
　カラオケ装置の背景映像として動画を記憶した記憶媒体を設け、カラオケ曲に対応した動画を当該記憶媒体から供給することは従来より行われている。　また、「臨時映像」も臨時の「背景画」であるから、引用例１における背景画としての静止画データを曲データに持たせることに代えて背景画を記憶した記憶手段を設け、曲に対応した背景画を当該記憶手段から供給する構成とすること、即ち、本願発明のように「即座に表示することができる複数種類に分類された臨時映像のなかから、演奏されるカラオケ曲に対応した映像を供給する」臨時映像供給手段とすることは当業者が容易に推考しうるものである。
　そして、これらの相違点を総合的に検討しても当業者が容易に推考し得たものであり、本願発明の構成に基づく効果についてもみても予測し得る範囲内のもので格別顕著なものがあるとはいえない。
　
　
５．むすび
　以上、本願発明は、引用例１ないし２に記載された発明に基づいて当業者が容易に発明をすることができたものであるから、特許法第２９条第２項の規定により特許を受けることができない。
　したがって、他の請求項２に係る発明について検討するまでもなく、本願は拒絶すべきものである。
　よって、結論のとおり審決する。